(57)【要約】【課題】連続的に撮影された複数の動画ファイルの中の一部の動画ファイルが変更又は削除された場合においても、複数の動画ファイルを撮影順に対応付ける技術を提供する。【解決手段】情報処理装置は、ポインタ情報によって第一の動画ファイルと第二の動画ファイルとが対応付けられているか否かに基づいて、連続的に撮影されたか否かを判定するポインタ判定部と、ポインタ情報によって第一の動画ファイルと第二の動画ファイルとが対応付けられていない場合に、グループ情報が一致するか否かに基づいて、連続的に撮影されたか否かを判定するグループ判定部と、を有することを特徴とする。【選択図】図３
2018037905.tif 000002
【特許請求の範囲】
【請求項１】
連続的に撮影された複数の動画ファイルを処理する情報処理装置であって、
前記複数の動画ファイルの各々から、動画ファイルに先行又は後続する動画ファイルを対応付けるポインタ情報と、連続的に撮影された各々の動画ファイルが同一グループの動画ファイルであることを表すグループ情報と、を取得する取得部と、
前記複数の動画ファイルの中の第一の動画ファイルと第二の動画ファイルとがポインタ情報によって対応付けられているか否かに基づいて、前記第一の動画ファイルと前記第二の動画ファイルとが連続的に撮影されたか否かを判定するポインタ判定部と、
前記ポインタ情報によって前記第一の動画ファイルと前記第二の動画ファイルとが対応付けられていない場合に、前記第一の動画ファイル及び前記第二の動画ファイルのそれぞれに付加されたグループ情報が一致するか否かに基づいて、前記第一の動画ファイルと前記第二の動画ファイルとが連続的に撮影されたか否かを判定するグループ判定部と、を有することを特徴とする情報処理装置。
【請求項２】
前記ポインタ情報は、前記第一の動画ファイル及び前記第二の動画ファイルの一方又は両方に含まれ、一方の動画ファイルに先行又は後続する他方の動画ファイルの識別情報であることを特徴とする請求項１に記載の情報処理装置。
【請求項３】
前記情報処理装置は、一の動画ファイルを二以上の動画ファイルに分割する分割部をさらに有し、
前記分割部は、分割された前記二以上の動画ファイルの一方又は両方に、先行又は後続する動画ファイルを対応付けるポインタ情報を付与し、分割された前記二以上の動画ファイルのそれぞれに、同一グループの動画ファイルであることを表すグループ情報を付加することを特徴とする請求項２に記載の情報処理装置。
【請求項４】
前記情報処理装置は、ポインタ情報によって対応付けられた二つのファイル、又は、グループ情報が一致する二つのファイルのサイズの合計値が閾値以下の場合に、前記二つのファイルを結合させる結合部をさらに有することを特徴とする請求項１〜３のいずれか１項に記載の情報処理装置。
【請求項５】
前記複数の動画ファイルのそれぞれを複製し、複製された複数の動画ファイルを撮影順に連結して複製動画ファイルを生成する複製部をさらに有し、
前記複製動画ファイルは、前記複数の動画ファイルのそれぞれに付加されたグループ情報と同じグループ情報と、前記複数の動画ファイルのそれぞれの開始時刻又は終了時刻に関する情報と、を含むことを特徴とする請求項１〜４のいずれか１項に記載の情報処理装置。
【請求項６】
前記複数の動画ファイルのそれぞれに、撮影順序を示すインデクス情報を付加するインデクス付与部をさらに有することを特徴とする請求項１〜５のいずれか１項に記載の情報処理装置。
【請求項７】
コンピュータが、連続的に撮影された複数の動画ファイルの各々から、動画ファイルに先行又は後続する動画ファイルを対応付けるポインタ情報と、連続的に撮影された各々の動画ファイルが同一グループの動画ファイルであることを表すグループ情報と、を取得するステップと、
コンピュータが、前記複数の動画ファイルの中の第一の動画ファイルと第二の動画ファイルとがポインタ情報によって対応付けられているか否かに基づいて、前記第一の動画ファイルと前記第二の動画ファイルとが連続的に撮影されたか否かを判定するステップと、
コンピュータが、前記ポインタ情報によって前記第一の動画ファイルと前記第二の動画
ファイルとが対応付けられていない場合に、前記第一の動画ファイル及び前記第二の動画ファイルのそれぞれに付加されたグループ情報が一致するか否かに基づいて、前記第一の動画ファイルと前記第二の動画ファイルとが連続的に撮影されたか否かを判定するステップと、を実行することを特徴とする情報処理方法。
【請求項８】
請求項７に記載の情報処理方法の各ステップをコンピュータに実行させるためのプログラム。
【発明の詳細な説明】
【技術分野】
【０００１】
本発明は情報処理装置に関する。
【背景技術】
【０００２】
一般的な撮像装置では、DCF規格に従ってファイルを記録するので、ファイル名の並び
から連続して撮影された動画群であるかを検索できる。例えば、MVI_0001.MP4が連続して撮影された動画の先頭であった場合、MVI_0002.MP4が存在すれば、MVI_0001.MP4とMVI_0002.MP4は連続して撮影された動画群である可能性がある。それを判断する方法として、動画ファイルの関連情報を読み込み、 MVI_0001.MP4とMVI_0002.MP4が連続する動画である
かを判定する方法がある（例えば、特許文献１参照）。また、連続して撮影された動画ファイルの一部を編集、削除した場合においても、動画ファイルの関連性を識別する関連情報を更新して連続性を保つ方法がある（例えば、特許文献２参照）。
【先行技術文献】
【特許文献】
【０００３】
【特許文献１】特開２０１３−０１９８８６号公報
【特許文献２】特開２０１４−０４５３５３号公報
【発明の概要】
【発明が解決しようとする課題】
【０００４】
しかし、特許文献１では、動画ファイルの一部が削除された場合、動画ファイルが連続していることを特定できない。また、特許文献２では、自ソフトウェアで動画ファイルの一部を編集、削除した場合は連続性を保てるが、他ソフトウェアで動画ファイルの一部が編集、削除された場合、連続性を特定できない。
本発明は、連続的に撮影された複数の動画ファイルの中の一部の動画ファイルが変更又は削除された場合においても、複数の動画ファイルを撮影順に対応付ける技術を提供することを目的とする。
【課題を解決するための手段】
【０００５】
本発明の第一態様は、連続的に撮影された複数の動画ファイルを処理する情報処理装置であって、前記複数の動画ファイルの各々から、動画ファイルに先行又は後続する動画ファイルを対応付けるポインタ情報と、連続的に撮影された各々の動画ファイルが同一グループの動画ファイルであることを表すグループ情報と、を取得する取得部と、前記複数の動画ファイルの中の第一の動画ファイルと第二の動画ファイルとがポインタ情報によって対応付けられているか否かに基づいて、前記第一の動画ファイルと前記第二の動画ファイルとが連続的に撮影されたか否かを判定するポインタ判定部と、前記ポインタ情報によって前記第一の動画ファイルと前記第二の動画ファイルとが対応付けられていない場合に、前記第一の動画ファイル及び前記第二の動画ファイルのそれぞれに付加されたグループ情報が一致するか否かに基づいて、前記第一の動画ファイルと前記第二の動画ファイルとが連続的に撮影されたか否かを判定するグループ判定部と、を有することを特徴とする情報処理装置を提供する。
本発明の第二態様は、コンピュータが、連続的に撮影された複数の動画ファイルの各々から、動画ファイルに先行又は後続する動画ファイルを対応付けるポインタ情報と、連続的に撮影された各々の動画ファイルが同一グループの動画ファイルであることを表すグループ情報と、を取得するステップと、コンピュータが、前記複数の動画ファイルの中の第一の動画ファイルと第二の動画ファイルとがポインタ情報によって対応付けられているか否かに基づいて、前記第一の動画ファイルと前記第二の動画ファイルとが連続的に撮影さ
れたか否かを判定するステップと、コンピュータが、前記ポインタ情報によって前記第一の動画ファイルと前記第二の動画ファイルとが対応付けられていない場合に、前記第一の動画ファイル及び前記第二の動画ファイルのそれぞれに付加されたグループ情報が一致するか否かに基づいて、前記第一の動画ファイルと前記第二の動画ファイルとが連続的に撮影されたか否かを判定するステップと、を実行することを特徴とする情報処理方法を提供する。
本発明の第三態様は、本発明の第二態様に記載の情報処理方法の各ステップをコンピュータに実行させるためのプログラムを提供する。
【発明の効果】
【０００６】
本発明によれば、連続的に撮影された複数の動画ファイルの中の一部の動画ファイルが変更又は削除された場合においても、複数の動画ファイルを撮影順に対応付けることができる。
【図面の簡単な説明】
【０００７】
【図１】撮像装置のハードウェア構成を示すブロック図である。
【図２】ＰＣのハードウェア構成を示すブロック図である。
【図３】実施例１に係る動画処理アプリのソフトウェア構成を示す図である。
【図４】連続的に撮影された動画ファイルの連続性を判定する手順を示す図である。
【図５】ポインタ情報及びグループ情報を例示する図である。
【図６】NID、UIDによりファイルの連続性を判定する手順を示す図である。
【図７】GIDによりファイルの連続性を判定する手順を示す図である。
【図８】動画ファイルの一部を分割する処理の手順を示す図である。
【図９】動画ファイルの一部が分割された場合のID群の更新手順を示す図である。
【図１０】動画ファイルの一部を分割する一例を示す図である。
【図１１】動画ファイルを結合する手順を示す図である。
【図１２】本体動画とProxy動画のID群を例示する図である。
【図１３】本体動画からProxy動画を作成する手順を示す図である。
【図１４】複数のProxy動画を結合する手順を示す図である。
【図１５】動画ファイルが一部欠損した場合の動画再生の例を示す図である。
【図１６】実施例１で表示されるUIの例を示す図である。
【図１７】実施例２に係る動画処理アプリ２０のソフトウェア構成を示す図である。
【図１８】インデクス情報が付加された動画ファイルの例を示す図である。
【発明を実施するための形態】
【０００８】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
なお、以下に説明する実施形態は、本発明の実現手段としての一例であり、本発明が適用される装置の構成や各種条件によって適宜修正又は変更されるべきものであり、本発明は以下の実施形態に限定されるものではない。
【０００９】
＜実施例１＞
図１は、実施例１に係る撮像装置１００のハードウェア構成を示すブロック図である。撮像装置１００は、光学系１０１、撮像素子１０２、ＣＰＵ１０３、一次記憶装置１０４、二次記憶装置１０５、記憶媒体１０６、表示部１０７、操作部１０８及び通信装置１０９から構成されている。
光学系１０１は、レンズ、シャッター、絞りから構成されていて、被写体からの光を適切な量とタイミングで撮像素子１０２に結像させる。撮像素子１０２は、光学系１０１を
通って結像した光を画像に変換する。ＣＰＵ１０３は、入力された信号やプログラムに従って、各種の演算や、撮像装置１００を構成する各部分の制御を行う。一次記憶装置１０４は、一時的なデータを記憶し、ＣＰＵ１０３の作業用に使われる。二次記憶装置１０５は、撮像装置１００を制御するためのプログラム（ファームウェア）や各種の設定情報などを記憶する。記憶媒体１０６は、撮影した画像データなどを記憶する。なお、撮影後に記憶媒体１０６は取り外すことが可能であり、パーソナルコンピュータ（以下、ＰＣ）などに装着してデータを読み出すことが可能である。つまり、撮像装置１００は記憶媒体１０６へのアクセス手段を有し、記憶媒体１０６へのデータの読み書きが行えればよい。表示部１０７は、撮影時のビューファインダー画像の表示、撮影した画像の表示、対話的な操作のための文字表示などを行う。操作部１０８は、使用者の操作を受け付けるためのものである。操作部１０８は例えばボタンやレバー、タッチパネルなどを用いることが可能である。通信装置１０９は、外部装置と接続し制御コマンドやデータの送受信を行う。接続を確立し、データ通信するためのプロトコルとしては、例えば、ＰＴＰ（Ｐｉｃｔｕｒｅ  Ｔｒａｎｓｆｅｒ  Ｐｒｏｔｏｃｏｌ）やＭＴＰ（Ｍｅｄｉａ Ｔｒａｎｓｆｅｒ Ｐｒｏｔｏｃｏｌ）が用いられる。なお、前記通信装置１０９は、例えばＵＳＢ（Ｕｎｉｖｅｒｓａｌ  Ｓｅｒｉａｌ  Ｂｕｓ）ケーブルなどの有線接続により通信を行ってもよい。また、無線ＬＡＮなどの無線接続により通信を行ってもよい。また、外部装置と直接接続してもよいし、サーバを経由したり、インターネットなどのネットワークを介して外部装置と接続してもよい。
【００１０】
撮像装置１００は、一度の撮影で連続的に生成された複数の動画ファイルを記憶媒体１０６に記録する。各々の動画ファイルには、DCF規格に従ってファイル名に撮影順序を示
す番号が付されている。このため、ファイル名の番号順に各動画ファイルを読み出すことで一つの動画として再生することが可能である。例えば、撮像装置１００は、一度の撮影でMVI_0001.MP4、MVI_0002.MP4及びMVI_0003.MP4を順番に生成する。MVI_0001.MP4、MVI_0002.MP4及びMVI_0003.MP4のファイル名の番号順に読み出すことで一つの動画として再生される。
また、撮像装置１００は、各々の動画ファイルにヘッダ情報を記録する。一度の撮影により生成された各動画ファイルは、ヘッダ情報により関連付けられる。ヘッダ情報に関しては後述する。
【００１１】
図２は、実施例１に係るＰＣ２００のハードウェア構成を示すブロック図である。ＰＣ２００は、表示部２０１と、操作部２０２と、ＣＰＵ２０３と、一次記憶装置２０４と、二次記憶装置２０５と、通信装置２０６とから構成されている。各構成の基本的な機能は撮像装置１００と同様であるから、ここでは詳細な説明は省略する。なお、表示部２０１にはＬＣＤなどのディスプレイ装置が用いられる。また表示部２０１はＰＣ２００が備える必要はなく、ＰＣ２００は表示部２０１の表示を制御する表示制御機能を有していればよい。さらに、操作部２０２としては、キーボードやマウスなどを用いることが可能である。例えば、動画ファイルを選択、再生、分割、削除するために使用される。
【００１２】
ＰＣ２００は、撮像装置１００の記憶媒体１０６に記録されている動画ファイルを取得し、二次記憶装置２０５に記録する。動画ファイルを取得した際にＰＣ２００は、各々の動画ファイルのヘッダ情報をファイル名の番号順に読み出し、ヘッダ情報を用いて各々の動画ファイルを撮影順に対応付ける。動画再生時においてＰＣ２００は、対応付けられた各動画ファイルを表示部２０１で連続的に再生する。なお、実施例１においては、後述する動画処理アプリ１０は、ＰＣ２００において動作するものとして説明する。
なお、上述では、ＰＣ２００がヘッダ情報に基づいて各動画ファイルを対応付け、各動画ファイルを撮影順に連続的に再生することを説明したが、これに限定されない。例えば、撮像装置１００がヘッダ情報に基づいて各々の動画ファイルを対応付け、各動画ファイルを撮影順に連続的に再生してもよい。すなわち、撮像装置１００及びＰＣ２００は、情
報処理装置の一例である。
【００１３】
図３は、実施例１に係る動画処理アプリ１０のソフトウェア構成を示す図である。動画処理アプリ１０は、取得部１１、ポインタ判定部１２、グループ判定部１３、再生部１４、分割部１５、結合部１６及び複製部１７を有する。図３に示す各機能は、ＣＰＵ２０３が、二次記憶装置２０５に格納されたプログラムを実行することにより実現される。
【００１４】
動画ファイルのヘッダ部には、先行又は後続する動画ファイルを示すポインタ情報と、連続的に撮影された複数の動画ファイルにそれぞれ付加されるグループ情報が含まれる。ポインタ情報は、先行又は後続する動画ファイルを指定する情報である。例えば、ポインタ情報は、先行又は後続する動画ファイルの識別情報である。ポインタ情報は、連続性のある二つの動画ファイルに対し、いずれか一方又は両方に付与される。すなわち、ポインタ情報は、先行する一方のファイルにのみ付されてもよいし、後続する他方のファイルにのみ付されてもよい。ここで、「連続性がある動画ファイル」とは、一回の撮影で連続的に生成された動画ファイルを示す。
また、グループ情報とは、連続的に撮影された動画ファイルが同一グループであることを示す情報である。例えば、連続的に撮影された動画ファイルのそれぞれに、グループ情報「A」が付加される。また、その後、連続的に撮影された動画ファイルのそれぞれに、
グループ情報「B」が付加される。
取得部１１は、記憶媒体１０６に記録されている各動画ファイルのヘッダ部をファイル名の番号順に読み出し、各動画ファイルに含まれるポインタ情報及びグループ情報を取得する機能を有する。
【００１５】
ポインタ判定部１２は、各々の動画ファイルから取得されたポインタ情報に基づいて、記憶媒体１０６に記録されているうちの二つの動画ファイルが連続的に撮影されたか否かを判定する機能を有する。
グループ判定部１３は、各々の動画ファイルから取得されたグループ情報に基づいて、ポインタ情報によって対応付けられなかった二つの動画ファイルが連続的に撮影されたか否かを判定する機能を有する。
再生部１４は、ポインタ判定部１２及びグループ判定部１３による判定結果に基づいて、記憶媒体１０６に記録されている各動画ファイルを撮影順に読み出し、表示部２０１において再生する機能を有する。
【００１６】
分割部１５は、一の動画ファイルを二の動画ファイルに分割する機能を有する。分割部１５は、動画ファイルを分割して生成した新しい動画ファイルのヘッダ部に、識別情報、ポインタ情報、グループ情報を記録する。さらに、分割部１５は、分割して生成された新しいファイルの前後のファイルが有するポインタ情報を更新する。
結合部１６は、ポインタ情報によって対応付けられた二つのファイル、又は、グループ情報が一致する二つのファイルを結合させて一つのファイルとする機能を有する。
複製部１７は、連続的に撮影された複数の動画ファイルのそれぞれを複製し、複製された複数の動画ファイルを撮影順に連結して複製動画ファイルを生成する機能を有する。複製動画ファイルは、動画ファイルの一部が欠損した場合などに、当該欠損した動画ファイル代わりに部分的に再生される。
【００１７】
＜動画ファイルの連続性の判定＞
以下では、具体例を挙げて動画処理アプリ１０の各処理部の処理について説明する。
図４は、連続的に撮影された動画ファイルの連続性を判定する手順を示す図である。ステップS301において、取得部１１は、全ての動画ファイルのヘッダ部を読み込み、ポインタ情報及びグループ情報等を取得する。
具体的には、取得部１１は、ファイル名の番号順に動画ファイルを読み込み、各ファイ
ルの拡張子を参照することでカレントファイルが動画ファイルか否かを判定する。ファイルの拡張子が「mp4」などであった場合、動画ファイルと判定し、当該動画ファイルのヘ
ッダ部からポインタ情報及びグループ情報等を取得する。一方、取得部１１は、ファイルの拡張子が「jpg」などの動画ファイル以外であった場合、当該ファイルをスキップし、
次のファイルの処理に移る。
【００１８】
なお、取得部１１は、ほかの方法で動画ファイルか否かを判定してもよい。例えば、取得部１１は、動画ファイルのメタデータを参照して動画ファイルであるか否かを判定してもよい。また、取得部１１は、ライブラリを使用して動画ファイルであるか否かを判定してもよい。
なお、以下では、現在動画処理アプリ１０の処理の対象となっているカレントファイルを「n」とし、その次の番号のファイルを「n+1」とし、その前の番号のファイルを「n-1
」と示す場合がある。また、動画ファイルのみをカウントする対象としている。例えば、カレントファイルの次の番号のファイルが静止画ファイルの場合、当該静止画ファイルを「n+1」としない。
また、以下では、取得部１１により動画ファイルと判定されたファイルを「動画」という場合がある。
【００１９】
ステップS302において、動画処理アプリ１０は、動画ファイルの中でファイル名の番号が最初の動画ファイルをカレントファイル（動画n）とする。なお、この場合のカレント
ファイルは１番目の動画ファイルであるから、nには「1」が格納される。
ステップS303において、ポインタ判定部１２は、動画n及び動画n+1に連続性があるか否かをポインタ情報NID、UIDにより判定する。この判定処理ならびにNID、UIDについては、後述する。ステップS304において、動画処理アプリ１０は、動画n及び動画n+1に連続性があると判定した場合、ステップS305の処理に移行し、動画n及び動画n+1に連続性がないと判定した場合、ステップS307の処理に移行する。
ステップS304で連続性があると判定された場合、ステップS305において、動画処理アプリ１０は、動画n+1をカレントファイル（動画n）とする。そして、ステップS306において、動画処理アプリ１０は、動画n+1が存在するか否かを判定する。動画ファイルn+1が存在する場合、ポインタ判定部１２は、動画n及び動画n+1に対してステップS303の判定処理を行う。動画n+1が存在しない場合、動画処理アプリ１０は、ステップS311の処理に移行す
る。
【００２０】
ここで、ステップS306において動画ファイルが存在しない場合とは、例えば、全ての動画ファイルの処理が完了した場合である。なお、ステップS310においても同様である。
なお、S305及びS306において、動画処理アプリ１０は、カレントファイル（動画n）の
次の動画n+1を示すポインタ情報NIDに値が格納されているか否かによって、カレントファイルが最終であるか否かを判定してもよい。
ステップS304において、動画n及び動画n+1に連続性が無いと判定された場合、ステップS307において、グループ判定部１３は、動画n及び動画n+1に連続性があるかをGIDで判定
する。この判定処理ならびにGIDについては、後述する。
【００２１】
ステップS308において、連続性があると判定された場合、動画処理アプリ１０は、ステップS309において、動画n+1をカレントファイル（動画n）とする。そして、ステップS310において、動画処理アプリ１０は、動画n＋１が存在するか否かを判定する。動画ファイ
ルが存在する場合、ポインタ判定部１２は、動画n及び動画n+1に対し、ステップS303の判定処理を行う。動画ファイルが存在しない場合、動画処理アプリ１０は、ステップS311の処理に移行する。
ステップS308で連続性が無いと判定された場合、動画処理アプリ１０は、ステップS311において、ステップS303及びステップS307の処理で連続性があると判定された動画を連続
撮影されたひとまとまりの動画として設定する。
ステップS312において、動画処理アプリ１０は、全動画を処理したか否かを判定する。全動画を処理した場合、動画処理アプリは処理を完了させる。また、処理していない動画がある場合、動画処理アプリ１０は、次のグループの動画に対し、ステップS303以降の処理を実行する。
なお、ステップS303において、ポインタ判定部１２は、動画n及び動画n+1に連続性があるか否かを判定したが、これに限定されない。例えば、ポインタ判定部１２は、動画n-1
及び動画nに連続性があるかを判定してもよい。この場合、ステップS302において、最後
の番号の動画をカレントファイル（動画n）とする。また、ステップS305及びステップS309において、動画n-1をカレントファイル（動画n）とする。また、ステップS306及びステ
ップS310において、動画n+1が存在するか否かを判定する。
【００２２】
次に、動画ファイルの構造に関して例示して説明する。
図５Ａ〜図５Ｃは、ポインタ情報及びグループ情報を例示する図である。二次記憶装置２０５には、連続して撮影された動画ファイルが3ファイル記録されているものとする。
図５Ａ右は、動画ファイルのヘッダ部に記録された情報を示す。動画ファイルのヘッダ部に記録された情報の項目としてUnique ID(UID)、Next ID(NID)、Previous ID(PID)、Group ID(GID)の4つのIDが存在する。UIDとは、ファイルを表す一意の情報である。NIDとは、ファイル番号がひとつ後の動画ファイル（動画n+1）のUIDを指すためのIDである。PID
とは、ファイル番号がひとつ前の動画ファイル（動画n-1）のUIDを指すためのIDである。GIDとは連続して撮影されたファイルが同じグループであることを示すためのIDである。
以下では、UID、NID、PID及びGIDをID群ということがある。なお、NID及びPIDは、ポインタ情報の一例である。また、GIDは、グループ情報の一例である。また、UIDは、識別情報の一例である。
【００２３】
図５Ａ〜図５Ｃを用いてポインタ情報及びグループ情報の具体例について説明する。図５Ａ左の例のように、DCF規格に従って左から順に連番でMVI_0001.MP4、MVI_0002.MP4、MVI_0003.JPG、MVI_0004.MP4、MVI_0005.MP4及びMVI_0006.MP4が付与されている。
まず、取得部１１は、ファイル名順で最初のファイルであるMVI_0001.MP4のID群を取得する。続いて、取得部１１は、ファイル名順で次のファイルであるMVI_0002.MP4のID群を取得する。続いて、取得部１１は、ファイル名順で次のファイルであるMVI_0003.JPGの拡張子が「JPG」であるため、スキップし、次のファイルの処理に移る。続いて、取得部１
１は、ファイル名順で次のファイルであるMVI_0004.MP4のID群を取得する。
このように、取得部１１は、MVI_0001.MP4、MVI_0002.MP4及びMVI_0004.MP4のID群を取得する。このとき、取得部１１により取得された情報は、図５Ａ右に示される。
【００２４】
図５Ａ右においてMVI_0001.MP4に関し、PIDは0000となっているため、ポインタ判定部
１２は、一度の撮影で生成された複数の動画ファイルのうちの先頭の動画と判定する。すなわち、PIDにUIDが入っていない場合（PIDが0000の場合）、動画n（カレントファイル）が最初の動画と判定する。
また、MVI_0001.MP4に関し、NIDはA5ED7D43であるため、後続する動画n+1があると判定する。すなわち、ポインタ判定部１２は、NIDにUIDが入っている場合（NIDが0000以外で
ある場合）、後続する動画n+1があると判定し、NIDにUIDが入っていない場合、動画n（カレントファイル）が最後の動画と判定する。
続いて、破線の矢印で示したように、MVI_0002.MP4のPIDとMVI_0001.MP4のUIDとが一致するので、ポインタ判定部１２は、MVI_0001.MP4及びMVI_0002.MP4が連続して撮影されていると判定する。なお、ポインタ判定部１２は、実線の矢印で示したMVI_0001.MP4のNID
及びMVI_0002.MP4のUIDとが一致しているか否かにより、MVI_0001.MP4及びMVI_0002.MP4
の連続性を判定しても良い。
続いて、MVI_0002.MP4のNIDがB7C89E1Bであるため、ポインタ判定部１２は、この動画
ファイルMVI_0002.MP4の後続する動画n+1が存在することを判定する。
なお、ファイル名順で次にMVI_0003.JPGが存在するが、先述したようにMVI_0003.JPGは動画ファイルでないため、取得部１１によってMVI_0003.JPGのID群は取得されていない。
【００２５】
続いて、MVI_0004.MP4のPIDとMVI_0002.MP4のUIDとが一致するので、ポインタ判定部１２は、MVI_0002.MP4とMVI_0004.MP4が連続して撮影されていると判定する。さらには、ポインタ判定部１２は、MVI_0004.MP4のNIDが0000であるため、MVI_0004.MP4が最後の動画
であると判定する。このようにして、ポインタ判定部１２の処理によって、MVI_0001.MP4、MVI_0002.MP4及びMVI_0004.MP4が連続して撮影された動画ファイルであることが分かる。
【００２６】
次に、動画ファイルの一部が削除された場合に動画の連続性を特定する方法について説明する。図５Ｂは、2番目のMVI_0002.MP4が削除された場合の例を示す。
まず、ポインタ判定部１２は、ファイル名の番号順でMVI_0001.MP4及びMVI_0004.MP4のUID、NID及びPIDを比較することで、MVI_0001.MP4及びMVI_0004.MP4の連続性を判定する
。この場合、MVI_0001.MP4のNIDは、MVI_0004.MP4のUIDと一致しない。また、MVI_0004.MP4のPIDは、MVI_0001.MP4のUIDと一致しない。このため、ポインタ判定部１２は、MVI_0001.MP4及びMVI_0004.MP4に連続性はないと判定する。
続いて、図５Ｃのように、グループ判定部１３は、MVI_0001.MP4及びMVI_0004.MP4のGIDを比較する。グループ判定部１３は、MVI_0001.MP4及びMVI_0004.MP4のGIDが「A」で一
致しており、同じグループに属するため、MVI_0001.MP4及びMVI_0004.MP4に連続性があると判定する。
【００２７】
このように、ポインタ判定部１２は、MVI_0001.MP4及びMVI_0004.MP4のID群により対応付けることができないため、MVI_0001.MP4及びMVI_0004.MP4が同じグループであることを判定できない。一方、MVI_0001.MP4及びMVI_0004.MP4は同じGID「A」が設定されているので、グループ判定部１３は、MVI_0001.MP4及びMVI_0004.MP4を同じグループとして対応付けることができる。
【００２８】
これにより、例えば、連続する動画の中の一部の動画がExplorer/Finder等の他ソフト
ウェアで削除されたとしても、削除された動画の前後の動画を対応付けることができる。
なお、ここでは説明を省略したが、MVI_0005.MP4及びMVI_0006.MP4は、MVI_0001.MP4及び MVI_0004.MP4と別のタイミングで撮影された動画ファイルであるため、GIDは異なる。よって、グループ判定部１３によってMVI_0005.MP4及びMVI_0006.MP4が、MVI_0001.MP4及びMVI_0004.MP4と同じグループと判定されることはない。
なお、図５Ａ〜図５Ｃでは、DCF規格に従って各々の動画ファイルに付与されたファイ
ル名の並びから、取得部１１が次の動画を取得する例を挙げたが、これに限定されない。例えば、取得部１１は、各々のファイルの撮影順序を示す任意のライブラリを使用して次に見つかった動画ファイルからID群を取得してもよい。
なお、動画ファイルのNIDが0x00、かつ、PIDが0x00の場合、ポインタ判定部１２は、当該動画ファイル（動画n）の前後に動画ファイル（動画n-1及び動画n+1）がないと判定す
る。すなわち、動画nは、独立した動画ファイルとして扱われる。
【００２９】
図６は、NID、UIDによりファイルの連続性を判定する手順を示す図である。図６のフローは、図４のステップS303の処理に対応する。ステップS501において、ポインタ判定部１２は、動画nのNIDが動画n+1のUIDと一致するか否かを判定する。なお、ポインタ判定部１２は、動画nのUIDが動画n+1のPIDと一致するかを確認しても良いものとする。ポインタ判定部１２は、一致する場合、ステップS502において、動画n及び動画n+1が連続していると判定する。
図７は、GIDによりファイルの連続性を判定する手順を示す図である。図７のフローは
、図４のステップS307の処理に対応する。ステップS601において、グループ判定部１３は、動画nのGID及び動画n+1のGIDが一致するか否かを判定する。グループ判定部１３は、一致する場合、ステップS602において、動画n及び動画n+1が連続していると判定する。
【００３０】
再生部１４は、図４、図６及び図７のフローにより連続性があると判定された動画ファイルをファイル名の番号順に再生する。また、再生部１４は、図５Ｂのように中間の動画ファイルが欠損している場合、中間の動画ファイルの部分を飛ばして動画を再生してもよい。
【００３１】
＜ファイル分割＞
一部の動画ファイルを分割する場合について説明する。上述したように、分割部１５は、一の動画ファイルを二以上の動画ファイルに分割する機能を有する。分割部１５は、分割されて生成された新規の動画ファイルに対し、識別情報（UID）、ポインタ情報（PID、NID）及びグループ情報（GID）を付加する。また、分割部１５は、当該新規の動画ファイル（動画n）の前後の動画ファイル（動画n-1、動画n+1）のポインタ情報（PID、NID）を
更新する。
例えば、FATファイルシステムなどのファイルサイズの上限値が小さい環境においても
動画ファイルを使用できるように、分割部１５により、あらかじめサイズが大きい動画ファイルを分割させてもよい。
【００３２】
次に、ファイル分割の手順について説明する。
図８は、動画ファイルの一部を分割する処理の手順を示す図である。ステップS701において、分割部２３は、連続して撮影された動画A及びBを読み込む。ここでは、動画A及びBは、一回の撮影で連続して生成された動画で、動画A、Bの順番で撮像装置で生成されたものとする。すなわち、動画Aを動画nとしたとき、動画Bは動画n+1である。
ステップS702において、分割部２３は、動画Aを動画A1とA2に分割する指示を生成する
。ステップS703において、分割部２３は、動画Aを動画Aの前半部分に対応する動画A1に更新する。また、ステップS704において、分割部２３は、動画Aの後半部分に対応する動画A2を別ファイルとして新規に作成する。すなわち、分割部２３は、動画Aの後半部分を切り取ることで動画A2を作成する。ステップS705において、分割部２３は、動画A1、A2及びB
のUID、NID、PID、GIDを更新する。なお、分割部２３は、動画A1、Bに関してはNID及びPIDを更新する。このとき、動画A1、A2、Bは順番に動画n、動画n+1、動画n+2の関係となる
。なお、各動画ファイルのID群をどのように更新するかについては、後述する。
【００３３】
なお、図８の例では動画ファイルを分割する場合、元の動画ファイルを残し、このファイルとは別に新規に動画ファイルを作成する場合について述べたが、これに限定されない。分割部２３は、分割された動画A1及び動画A2ともに新規のファイルとして作成しても良い。また、分割部２３は、上記処理を繰り返し行うことにより動画ファイルをN個に分割
することができる。また、動画ファイルを分割する以外に、不要な前後シーンをカットする中抜きという方法もあるが、この場合、動画ファイルの個数が増えるわけではないため、UID、NID、PID、GIDを更新しなくても残りの動画ファイルとの連続性を保持できる。
【００３４】
図９は、動画ファイルの一部が分割された場合のID群の更新手順を示す図である。図９のフローは、図９のステップS705の処理に対応する。ステップS801において、分割部２３は、動画A2のUIDを新規に設定する。ステップS802において、分割部２３は、動画A2のNIDに動画BのUIDを設定する。ステップS803において、分割部２３は、動画A2のPIDに動画A1
のUIDを設定する。ステップS804において、分割部２３は、動画A2のGIDに分割前の動画A
のGIDを設定する。なお、分割部２３は、ステップS804において、動画A2のPIDに動画A1又はBのGIDを設定してもよい。ステップS805において、分割部２３は、動画A1のNIDに動画A2のUIDを設定する。ステップS806において、分割部２３は、動画BのPIDに動画A2のUIDを
設定する。これにより、動画処理アプリ１０は、動画A1、A2及びBの連続性を保持するこ
とができる。
【００３５】
図１０Ａ及び図１０Ｂは、動画ファイルの一部を分割する一例を示す図である。MVI_0001.MP4、MVI_0002.MP4及びMVI_0004.MP4が一回の撮影で連続して生成された動画ファイルであるとする。図１０Ａは、分割前の動画ファイルの例である。一方、図１０Ｂは、分割部２３により、2番目のMVI_0002.MP4が分割されて、MVI_0002_2.MP4が新規に作成された
場合の例である。
図１０Ｂ左に示すように、分割部２３は、MVI_0002.MP4を分割してMVI_0002_2.MP4を生成する。続いて、図１０Ｂ右に示すように、分割部２３は、UID「82E3E733」を新規に発
行し、MVI_0002_2.MP4に付与する。また、分割部２３は、MVI_0002.MP4のGID「A」を複製し、MVI_0002_2.MP4のGIDとして付与する。また、分割部２３は、MVI_0002_2.MP4のPIDにMVI_0002.MP4のUID「A5ED7D43」を設定する。また、分割部２３は、MVI_0002_2.MP4のNIDにMVI_0004.MP4のUID「B7C89E1B」を設定する。
さらに、分割部２３は、MVI_0002_2.MP4より前のMVI_0002.MP4のNIDをMVI_0002_2.MP4
のUID「82E3E733」に更新する。また、分割部２３は、MVI_0002_2.MP4より後のMVI_0004.MP4のPIDをMVI_0002_2.MP4のUID「82E3E733」に更新する。
これにより、動画ファイルの一部が分割された場合もID群が適切に更新されるので、各動画ファイルの連続性を保つことができる。
【００３６】
＜ファイル結合＞
結合部１６は、連続性のある二つのファイルのサイズの合計値が閾値以下の場合に、当該二つのファイルを結合する機能を有する。
例えば、撮像装置１００がFATファイルシステムなどファイルサイズの上限値（4GB）が低い環境であり、ＰＣ２００がNTFSファイルシステムなどファイルサイズの上限値が大きい環境であるとする。この場合、撮像装置１００からＰＣ２００に動画ファイルが移行された際に、結合部１６により、連続性のある動画ファイルを結合させてもよい。
図１１は、動画ファイルを結合する手順を示す図である。ステップS1001において、結
合部１６は、全ての動画ファイルのヘッダ部を読み込み、各動画ファイルのUID、NID、GID及びPID等を取得する。
ステップS1002において、動画処理アプリ１０は、動画ファイルの中でファイル名の番
号が最初の動画ファイルをカレントファイル（動画n）とする。
ステップS1003において、ポインタ判定部１２は、動画nと動画n+1に連続性があるか否
かをNID、UID及びGIDを用いて判定する。なお、この判定手順は、図６及び図７に示した
手順に対応する。
ステップS1004において、連続性があると判定された場合、ステップS1005において、結合部１６は、動画nと動画n+1のファイルサイズの合計が閾値以下であるか否かを判定する。ステップS1006において、結合部１６は、動画nと動画n+1を結合する。このときファイ
ル番号nが１つインクリメントされるものとする。
ステップS1007において、結合部１６は、結合した動画をカレントファイル（動画n）とする。ステップS1007において、動画処理アプリ１０は、動画n+1が存在するか否かを判定し、動画n+1が存在する場合、ステップS1001からステップS1007までの処理を再度行う。
上述したように動画ファイルが保存される装置の環境に応じてファイル分割及びファイル結合をすることにより、各々の動画ファイルを適切なサイズに変更することができる。
【００３７】
＜複製動画（Proxy動画）の作成＞
複製部１７は、連続的に撮影された複数の動画ファイルのそれぞれを複製した動画ファイルを生成する機能を有する。複製部１７は、各々の動画ファイルが有するポインタ情報及びグループ情報も複製し、複製された各々の動画ファイルのヘッダ部に格納する。
結合部１６は、複製された各々の動画ファイルに格納されているポインタ情報及びグル
ープ情報を用いて、複製された各々の動画ファイルを撮影順に連結して複製動画ファイルを生成する。なお、以下では、連続的に撮影された動画ファイルを本体動画ということがある。また、複製動画ファイルをProxy動画ということがある。例えば、Proxy動画は、何らかの理由により本体動画が一部欠損した場合に予備の動画として再生される。
例えば、動画処理アプリ１０は、撮像装置１００からＰＣ２００に動画ファイルを移行させた際に、ＰＣ２００の表示部２０１にポップアップを表示させ、ユーザにProxy動画
を生成するか否かを選択させてもよい。
【００３８】
Proxy動画のファイル構造について具体例を挙げて説明する。
図１２Ａ〜図１２Ｃは、本体動画とProxy動画のID群を例示する図である。図１２Ａに
示すように、MVI_0001.MP4、MVI_0002.MP4及びMVI_0003.MP4は、一度の撮影で連続して生成された動画ファイル（本体動画）である。
また、図１２Ｂに示すように、PXY_0001.MP4、PXY_0002.MP4及びPXY_0003.MP4は、MVI_0001.MP4、MVI_0002.MP4及びMVI_0003.MP4のそれぞれを複製したProxy動画である。PXY_0001.MP4、PXY_0002.MP4及びPXY_0003.MP4のID群は、MVI_0001.MP4、MVI_0002.MP4及びMVI_0003.MP4と同一である。
また、各Proxy動画は、それぞれに対応する本体動画よりもファイルサイズが小さいも
のとする。例えば、本体動画の画像サイズが３８４０ｘ２１６０に対して、１２８０ｘ７２０の動画がProxy動画である。画像サイズだけでは無く、ファイルサイズ、圧縮率など
の違いで定義されても良いものとする。
【００３９】
図１２Ｃに示されるPXY_0001.MP4は、図１２Ｂに示されるPXY_0001.MP4、PXY_0002.MP4、PXY_0003.MP4を順番に連結して生成されたProxy動画である。UIDは、図１２Ｂの結合前のPXY_0001.MP4のUIDを援用したものとなっている。また、NID及びPIDは、いずれも「0」となっている。結合後のPXY_0001.MP4の前後に動画ファイルがなく、結合後のPXY_0001.MP4は独立した動画であることを示している。
また、図１２Ｃに示されるPXY_0001.MP4は、結合前のPXY_0001.MP4と同じGID「A」が設定されている。これにより、MVI_0001.MP4、MVI_0002.MP4及びMVI_0003.MP4と、結合後のPXY_0001.MP4とが、同じグループであるものとして対応付けられる。
【００４０】
また、PXY_0001.MP4、PXY_0002.MP4はPXY_0001.MP4として結合できて、PXY_0003.MP4だけが結合できなかった場合について説明する。この場合、複製部１７は、PXY_0001.MP4及びPXY_0004.MP4が正しく対応付けられるようにNID及びPIDをそれぞれ設定する。さらに、複製部１７は、PXY_0001.MP4及びPXY_0004.MP4が同じグループの動画となるようにPXY_0001.MP4のGIDを「A」に設定する。
また、本体動画とProxy動画を関連の無い動画として扱いたい場合について説明する。
複製部１７は、各Proxy動画を生成した後、各Proxy動画のUID及びGIDを新規に発行する。この場合の各Proxy動画のUID及びGIDは、本体動画のUID及びGIDと異なるものとなる。続
いて、複製部１７は、各Proxy動画が再生順に対応付けられるように、各Proxy動画にPID
及びNIDを設定すればよい。
【００４１】
図１３は、本発明の一実施形態に係る本体動画からProxy動画を作成する手順である。
ステップS1201において、複製部１７は、nに１を代入する。ステップS1202において、複
製部１７は、本体動画nのヘッダ部及び動画データを読み込む。ステップS1203において、複製部１７は、本体動画nを基にProxy動画nを生成する。具体的には、複製部１７は、本
体動画nのID群をProxy動画nのID群に設定する。また、複製部１７は、本体動画nの動画データを基にサイズを小さくした動画データを生成し、Proxy動画nの動画データとして設定する。
ステップS1204において、複製部１７は、本体動画n+1が存在するか否かを判定する。本体動画n+1が存在する場合、ステップS1205において、複製部１７は、nをインクリメント
する。続いて、複製部１７は、ステップS1202〜S1204までの処理を再度実行する。
本体動画n+1が存在しない場合、ステップS1206において各々のProxy動画を再生順に結
合する。なお、複数のProxy動画を結合する手順については、後述する。
【００４２】
図１４は、複数のProxy動画を結合する手順を示す図である。ステップS1301において、動画処理アプリ１０は、全てのProxy動画のヘッダ部を読み込み、各Proxy動画のUID、NID及びPID等を取得する。
ステップS1302において、動画処理アプリ１０は、Proxy動画の中でファイル名の番号が最初のProxy動画をカレントファイル（Proxy動画n）とする。
ステップS1303において、ポインタ判定部１２は、Proxy動画nとProxy動画n+1に連続性
があるか否かをNID及びUIDを用いて判定する。この判定手順は、図６に示した手順に対応する。
【００４３】
ステップS1304において、連続性があると判定された場合、ステップS1305において、結合部１６は、Proxy動画nとProxy動画n+1を結合する。
ステップS1306において、本体動画nの終了時刻のタイムコードを、結合したProxy動画
にマーキングする。なお、本体動画n+1の開始時刻のタイムコードを、結合したProxy動画にマーキングしてもよい。
ステップS1307において、結合部１６は、結合したProxy動画をカレントファイル（Proxy動画n）とする。なお、このときProxy動画nのファイル番号nがインクリメントされてい
るものとする。
ステップS1308において、動画処理アプリ１０は、その次のProxy動画nが存在するか否
かを判定し、Proxy動画n+1が存在する場合、ステップS1301からステップS1307までの処理を再度行う。Proxy動画n+1が存在しない場合、動画処理アプリ１０は処理を終了させる。
【００４４】
図１５Ａ〜図１５Ｃは、動画ファイルが一部欠損した場合の動画再生の例を示す図である。実施例１の動画処理アプリ１０によって動画が再生される例である。ここでは、図１５Ａの本体動画MVI_0002.MP4が欠損していた場合について説明する。
図１５Ａにおいて、各動画を再生順に対応付ける場合、ポインタ判定部１２は、MVI_0001.MP4を読み込んだ後、MVI_0001.MP4のNIDと一致するUIDの動画を検索する。この場合、MVI_0002.MP4が欠損しているため、ポインタ判定部１２は、MVI_0001.MP4のNIDと一致す
るUIDの動画はないと判定する。
続いて、動画処理アプリ１０は、MVI_0001.MP4のGIDと同じProxy動画が存在するかを検索する。グループ判定部１３によって、図１５ＢのPXY_0001.MP4がMVI_0001.MP4と同じグループのProxy動画と判定され、対応付けられる。続いて、グループ判定部１３は、同一
グループのMVI_0003.MP4をMVI_0001.MP4に対応付ける。
動画再生時は、再生部１４は、MVI_0001.MP4を再生後、MVI_0001.MP4の終了時刻及びMVI_0002.MP4の終了時刻のタイムコードに基づいてPXY_0001.MP4を部分的に再生する。すなわち、再生部１４は、欠損したMVI_0002.MP4に相当する部分を再生する。続いて、再生部１４は、MVI_0003.MP4を再生する。
【００４５】
図１５Ｃは、本体動画とProxy動画とタイムコードとの関係を示す図である。図１５Ｃ
のように、MVI_0001.MP4は、タイムコードt0〜t1までに対応する。続いて、欠損したMVI_0002.MP4は、タイムコードt1〜t2までに対応する。続いて、MVI_0003.MP4は、タイムコードt2〜t3までに対応する。
図１４に示したように、複製部１７は、例えばProxy動画（PXY_0001.MP4）が生成され
た際に、各本体動画の終了時刻（又は開始時刻）をPXY_0001.MP4のタイムコードにマーキングする。これによりProxy動画（PXY_0001.MP4）が各々の本体動画に対応付けられる。
例えば、複製部１７は、PXY_0001.MP4に対し、MVI_0001.MP4の再生位置としてタイムコードt1を対応付ける。また、複製部１７は、PXY_0001.MP4に対し、MVI_0002.MP4の再生位
置としてタイムコードt2を対応付ける。さらに、複製部１７は、PXY_0001.MP4に対し、MVI_0003.MP4の再生位置としてタイムコードt3を対応付ける。
したがって、再生部１４は、欠損したMVI_0002.MP4に対応するt1〜t2の部分を再生する際、タイムコードを参照してPXY_0001.MP4を部分的に使用して再生する。なお、再生部１４は、同じGIDを持つProxy動画が見つからなかった場合、MVI_0002.MP4のシーンをスキップし、同じGIDを持つ本体動画MVI_0003.MP4を再生するとよい。
【００４６】
図１６Ａ及び図１６Ｂは、実施例１で表示されるUIの例を示す図である。図１６ＡのS1502において、動画処理アプリ１０は、動画を表示する。なお、当該UIにおいて停止、早
送り、早戻しなどの操作が可能である。
図１６ＡのS1501において、動画処理アプリ１０は、本体動画MVI_0001.MP4、MVI_0002.MP4及びMVI_0003.MP4のサムネイルを重ねてグルーピングして表示する。動画処理アプリ
１０は、その右隣にMVI_0001.MP4、MVI_0002.MP4及びMVI_0003.MP4に対応するProxy動画PXY_0001.MP4を表示する。ここで、再生部１４は、本体動画を再生する場合に、MVI_0002.MP4が欠損しており再生できなかったとする。その場合、動画処理アプリ１０は、欠損し
たMVI_0002.MP4に該当するProxy動画の部分を、MVI_0001.MP4の終了時刻及びMVI_0002.MP4の終了時刻に対応するタイムコード（t1及びt2）により特定する。
再生部１４は、MVI_0001.MP4の再生後、図１６Ｂにおいて、PXY_0001.MP4のt1〜t2に係る部分を再生する。続いて、再生部１４は、MVI_0003.MP4を再生する。
なお、図１６Ａにおいては、本体動画とProxy動画のサムネイルを分けて表示している
が、これに限定されない。動画処理アプリ１０は、本体動画とProxy動画とをセットで表
示したり、本体動画またはProxy動画のみを表示しても良いものとする。
また、上記の例では、欠損した本体動画に相当するProxy動画の部分を部分的に再生す
る場合について説明したがこれに限定されない。例えば、再生部１４は、本体動画が一部欠損している場合、Proxy動画全体を再生してもよい。
【００４７】
＜実施例２＞
図１７は、実施例２に係る動画処理アプリ２０のソフトウェア構成を示す図である。動画処理アプリ２０は、取得部２１、ポインタ判定部２２、グループ判定部２３、再生部２４、分割部２５、結合部２６、複製部２７及びインデクス付与部２８を有する。取得部２１、ポインタ判定部２２、グループ判定部２３、再生部２４、分割部２５、結合部２６及び複製部２７に関しては、実施例１の各処理部と同様の処理を行う。
インデクス付与部２８は、連続的に撮影された複数の動画ファイル（本体動画）のそれぞれに対し、撮影順序を示すインデクス情報を付加する。
【００４８】
図１８Ａ〜図１８Ｃは、インデクス情報が付加された動画ファイルの例を示す図である。図１８Ａ右のように、各動画ファイルには、UID、NID、PID、GID及びIndexの5つのIDが存在する。このうちIndexとは、連続して撮影された動画ファイルの撮影順序を示すIDで
ある。例えば、図１８Ａ右のIndexの行に示すように、MVI_0001.MP4、MVI_0002.MP4、MVI_0004.MP4に対して撮影順序に応じてそれぞれIndexとして1001、1002、1003が付加される。なお、Indexは、インデクス情報の一例である。
図１８Ｂ左のように、2番目のMVI_0002.MP4が削除されて、3番目のMVI_0004.MP4がリネイム（Movie.M）された後、動画処理アプリ２０が動画を再生する場合について説明する
。図１８Ｂ右に示すようにMVI_0001.MP4とMVI_0004.MP4は、UID、PID、NIDに関連性は無
い。このため、ポインタ判定部２２は、これらのID群だけではMVI_0001.MP4及びMovie.MP4（MVI_0004.MP4）に連続性はないと判定する。一方、グループ判定部２３は、MVI_0001.MP4及びMovie.MP4に同じGID「A」が設定されているので、MVI_0001.MP4及びMovie.MP4は
連続性がある判定する。
【００４９】
しかし、図１８Ｂに示すように、MVI_0004.MP4がMovie.MP4にリネイムされたため、動
画処理アプリ２０は、ファイル名の番号のみではMVI_0001.MP4とMovie.MP4のいずれが先
頭であるかを判別できない。そこで、図１８Ｃに示すように、動画処理アプリ２０は、インデクス付与部２８によって付加された各々の動画ファイルのIndexを参照する。例えば
、MVI_0001.MP4のIndexが1001となっており、Movie.MP4のIndexが1003となっているので
、動画処理アプリ２０は、MVI_0001.MP4が先の動画ファイルであると判定する。
【００５０】
このように、図１８Ｃに示すように動画処理アプリ２０は、DCF規格に従って記録され
た動画ファイルのファイル名が事後的に変更され、さらに、一部ファイルが削除された場合、連続する動画ファイルを対応付けることができない場合がある。この場合には、グループ情報により同じグループの動画ファイルを対応付けることができたとしても、グループ内において動画ファイルの再生順序を特定できない場合がある。
例えば、Explorer/Finderなどの他ソフトウェアによって、一部の動画ファイルが削除
され、さらに、削除された動画ファイルの前後の動画ファイルがリネイムされた場合である。
このような場合においても、Indexを用いることにより、グループ内の動画ファイルの
再生順序を特定することができる。
【００５１】
なお、ここでは説明を省略したが、MVI_0005.MP4及びMVI_0006.MP4は、MVI_0001.MP4及びMovie.MP4と別のタイミングで撮影された動画ファイルであるため、GIDが異なる。従って動画処理アプリ２０によりMVI_0005.MP4及びMVI_0006.MP4は、MVI_0001.MP4及びMVI_0004.MP4と同じグループとは扱われない。
【００５２】
また、インデクス付与部５６は、Indexを撮影の度にインクリメントする。例えば、イ
ンデクス付与部５６は、MVI_0004.MP4（Movie.MP4）の後に撮影されたMVI_0005.MP4及びMVI_0006.MP4にIndexとして1004、1005をそれぞれ付加する。これにより、Indexによって
、動画処理アプリ２０は、MVI_0001.MP4及びMovie.MP4のグループと、MVI_0005.MP4及びMVI_0006.MP4のグループのどちらが先に撮影された動画であるかを判別できる。すなわち
、動画処理アプリ２０は、異なるグループ間で再生順序を特定することが可能となる。
【００５３】
なお、実施例１及び２の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００５４】
また、実施例１及び２では、動画ファイルのヘッダ部にID群を記録させたが、これに限定されない。例えば、動画ファイルとは、ライブラリに各動画ファイルのID群を記録してもよい。
【符号の説明】
【００５５】
１：動画処理アプリ１０、２：ポインタ判定部１２、３：グループ判定部１３
【図１】
2018037905.tif 000003
【図２】
2018037905.tif 000004
【図３】
2018037905.tif 000005
【図４】
2018037905.tif 000006
【図５】
2018037905.tif 000007
【図６】
2018037905.tif 000008
【図７】
2018037905.tif 000009
【図８】
2018037905.tif 000010
【図９】
2018037905.tif 000011
【図１０】
2018037905.tif 000012
【図１１】
2018037905.tif 000013
【図１２】
2018037905.tif 000014
【図１３】
2018037905.tif 000015
【図１４】
2018037905.tif 000016
【図１５】
2018037905.tif 000017
【図１６】
2018037905.tif 000018
【図１７】
2018037905.tif 000019
【図１８】
2018037905.tif 000020